(57)【特許請求の範囲】
【請求項１】
ＰＡＬ方式の色信号から処理対象ラインとその前後１ライン、及び前後２ラインの５つのラインの色信号を得るためのライン遅延手段と、
前記処理対象ラインとその前後２ラインの各色信号間のライン相関として、前記処理対象ラインの色信号とその前２ラインの色信号との加算の絶対値Ｂ、及び、前記処理対象ラインの色信号とその後２ラインの色信号との加算の絶対値Ａの和に対する前記絶対値Ａの比率Ｍを求めるライン相関検出手段と、
前記処理対象ラインの前１ラインの色信号と前記比率Ｍとの積、及び、前記Ｍの補数と前記処理対象ラインの後１ラインの色信号との積の差から色位相補正用色信号Ｎを生成する補正用色信号生成手段と、
前記処理対象ラインの色信号と前記色位相補正用色信号Ｎとの加減算の結果が入力され、前記処理対象ラインの色差信号を復調する復調回路と、
を有することを特徴とするＰＡＬ信号の位相歪み補正回路。
【請求項２】
前記補正用色信号生成手段で生成された色位相補正用色信号Ｎと前記処理対象ラインの色信号とを加算する加算手段と、前記色位相補正用色信号Ｎを前記処理対象ラインの色信号から減算する減算手段とをさらに有することを特徴とする請求項１記載のＰＡＬ信号の位相歪み補正回路。
【請求項３】
前記復調回路は、前記加算手段の加算出力から第１の色差信号を復調する第１の復調回路と、前記減算手段の減算出力から第２の色差信号を復調する第２の復調回路と、を含むことを特徴とする請求項２記載のＰＡＬ信号の位相歪み補正回路。
【請求項４】
補正用色信号生成手段は、前記ライン相関検出手段により前記処理対象ラインの色信号とその前２ラインの色信号とに相関が検出されたときは、前記処理対象ラインの前１ラインの色信号を前記色位相補正用色信号として出力し、前記ライン相関検出手段により前記処理対象ラインの色信号とその後２ラインの色信号とに相関が検出されたときは、前記処理対象ラインの後１ラインの色信号を反転した色信号を前記色位相補正用色信号として出力するようになされていることを特徴とする請求項１記載のＰＡＬ信号の位相歪み補正回路。
【請求項５】
ＰＡＬ方式の色信号を遅延させて処理対象ラインとその前後１ライン、及び前後２ラインの５つのラインの色信号を得る手順と、
前記処理対象ラインとその前２ラインの色信号との加算の絶対値Ｂ、及び、前記処理対象ラインとその後２ラインの色信号の加算の絶対値Ａの和に対する前記絶対値Ａの比率Ｍを求める手順と、
前記処理対象ラインの前１ラインの色信号と前記比率Ｍとの積、及び、前記Ｍの補数と前記処理対象ラインの後１ラインの色信号との積の差から色位相補正用信号Ｎを生成する手順と、
前記処理対象ラインの色信号と前記色位相補正用色信号Ｎとの加減算の結果から前記処理対象ラインの色差信号を復調する手順と、
を有することを特徴とするＰＡＬ信号の位相歪み補正方法。
【請求項６】
ＰＡＬコンポジット信号の処理対象ラインとその前後１ライン、及び前後２ラインの５つのラインの信号を得るためのライン遅延手段と、
前記５つの信号から輝度信号成分を除去して５つの色信号を得るフィルタ手段と、
前記フィルタ手段から得られる処理対象ラインとその前後２ラインの色信号が入力され、１つの色信号を生成するロジカルコムフィルタ手段と、
前記処理対象ラインの信号からロジカルコムフィルタ手段で生成された色信号を減算することにより輝度信号を得る減算手段と、
前記フィルタ手段から得られる前記処理対象ラインの色信号とその前２ラインの色信号との加算の絶対値Ｂ、及び、前記処理ラインの色信号とその後２ラインの色信号との加算の絶対値Ａの和に対する前記絶対値Ａの比率Ｍを求めるライン相関検出手段、前記処理対象ラインの前１ラインの色信号と前記比率Ｍとの積、及び、前記Ｍの補数と前記処理対象ラインの後１ラインの色信号との積の差から色位相補正用色信号Ｎを生成する補正用色信号生成手段、及び前記処理対象ラインの色信号と前記色位相補正用色信号Ｎとの加減算の結果が入力され、前記処理対象ラインの色差信号を復調する復調回路、を含む色信号処理部と、
を有することを特徴とするＰＡＬ信号のＹ／Ｃ分離回路。
【請求項７】
前記色信号処理部は、前記補正用色信号生成手段で生成された色位相補正用色信号Ｎと前記処理対象ラインの色信号とを加算する加算手段と、前記色位相補正用色信号Ｎを前記処理対象ラインの色信号から減算する減算手段とをさらに含むことを特徴とする請求項６記載のＰＡＬ信号のＹ／Ｃ分離回路。
【請求項８】
前記復調回路は、前記加算手段の加算出力から第１の色差信号を復調する第１の復調回路と、前記減算手段の減算出力から第２の色差信号を復調する第２の復調回路とを含むことを特徴とする請求項６記載のＰＡＬ信号のＹ／Ｃ分離回路。
【請求項９】
補正用色信号生成手段は、前記ライン相関検出手段により前記処理対象ラインの色信号とその前２ラインの色信号とに相関が検出されたときは、前記処理対象ラインの前１ラインの色信号を前記色位相補正用色信号として出力し、前記ライン相関検出手段により前記処理対象ラインの色信号とその後２ラインの色信号とに相関が検出されたときは、前記処理対象ラインの後１ラインの色信号を反転した色信号を前記色位相補正用色信号として出力するようになされていることを特徴とする請求項６記載のＰＡＬ信号のＹ／Ｃ分離回路。
【請求項１０】
ＰＡＬコンポジット信号を遅延させて処理対象ラインとその前後１ライン、及び前後２ラインの５つのラインの信号を得る手順と、
前記５つの信号から輝度信号成分を除去して５つの色信号を得る手順と、
前記処理対象ラインとその前後２ラインの色信号をロジカルコムフィルタに入力して１つの色信号を生成する手順と、
前記処理対象ラインの信号から前記ロジカルコムフィルタで生成された色信号を減算することにより輝度信号を得る手順と、
前記処理対象ラインとその前２ラインの色信号との加算の絶対値Ｂ、及び、前記処理対象ラインとその後２ラインの色信号の加算の絶対値Ａとの和に対する前記絶対値Ａの比率Ｍを求める手順と、
前記処理対象ラインの前１ラインの色信号と前記比率Ｍとの積、及び、前記Ｍの補数と前記処理対象ラインの後１ラインの色信号との積の差から色位相補正用信号Ｎを生成する手順と、
前記処理対象ラインの色信号と前記色位相補正用色信号Ｎとの加減算の結果から前記処理対象ラインの色差信号を復調する手順と、
を有することを特徴とするＰＡＬ信号のＹ／Ｃ分離方法。
【発明の詳細な説明】
【０００１】
【発明の属する技術分野】
本発明は、ＰＡＬ方式テレビジョン信号（以下、ＰＡＬ信号と言う）における色信号の位相歪みを補正するためのＰＡＬ信号の位相歪み補正回路、方法及びこのＰＡＬ信号の位相歪み補正回路を用いたＰＡＬ信号のＹ／Ｃ分離回路、方法に関するものである。
【０００２】
【従来の技術】
ヨーロッパ等で用いられているカラーテレビ方式であるＰＡＬ（ＰｈａｓｅＡｌｔｅｒｎａｔｉｏｎ  ｂｙ  Ｌｉｎｅ）方式においては、色差信号（Ｕ信号、Ｖ信号）間の相互干渉を防ぐために、Ｖ信号の色副搬送波の位相を１ライン毎に１８０°反転させて搬送色信号（以下、単に色信号という）を生成している。信号伝送中に何らかの原因でバースト信号の位相（基準位相）と色信号の位相とがずれてしまった場合は、この特徴を利用して受信時にその位相ずれ（位相歪み）を補正することができる。また、ライン間の干渉を防ぐために、１ライン毎に約９０°位相がずれるように、色副搬送波周波数が選ばれている。
【０００３】
色信号の位相歪みを補正する回路の一例として、例えば特開平９−４６７２１号公報に開示されるものがあり、図８にその構成を示す。
図８において、１Ｈ遅延回路２１、加算器２２、減算器２３により位相歪み補正回路２６が構成される。
【０００４】
１Ｈ遅延回路２１は、入力される色信号Ｃをを１ライン遅延させるための１ラインメモリを用いている。色信号Ｃとこの色信号Ｃを１ライン遅延した色信号Ｃ１とを加算器２２で加算した信号からＢ−Ｙ復調回路２４により色差信号ＥB-Yが復調される。また、色信号Ｃから色信号Ｃ１を減算器２３で減算した信号からＲ−Ｙ復調回路２５により色差信号ＥR-Y が復調される。
【０００５】
また、特開昭６０−１９８９８５号公報には、図９に示すような他の色信号の位相歪み補正回路が示されている。
図９において、色信号Ｃ３１は位相歪み補正回路２６に入力され、その加算出力である信号３２と、減算出力である信号３３と、上記色信号Ｃ３１である信号３６及び信号３７とが判定回路３８に入力される。尚、位相歪み補正回路２６は図８の位相歪み補正回路２６と同一構成である。
【０００６】
上記加算出力はレベルを１／２にされて信号３４となり、上記信号３６と共に選択回路３９に入力される。また、上記減算出力はレベルを１／２にされて信号３５となり、上記信号３７と共に選択回路４０に入力される。
【０００７】
上記信号３５の絶対値｜ＣＶ｜と所定値Ｋとが比較され、｜ＣＶ｜≧Ｋのときは、選択回路３９は信号３６を選択し、｜ＣＶ｜＜Ｋのときは信号３４を選択する。選択された信号４３がＵ復調回路４４に入力されることにより、Ｕ信号が復調される。
選択回路４０においても上記と同様の動作により信号３５、３７の一方が選択され、信号４５としてＶ復調回路４６に入力されることにより、Ｖ信号が復調される。
【０００８】
尚、ここで説明したＵ信号（ＥU ）はＢ−Ｙ信号、Ｖ信号（ＥV ）はＲ−Ｙ信号にそれぞれ相当するもので、一般に次のように定義される。
ＥU ＝０．４９３（ＥB −ＥY ）
ＥV ＝０．８７７（ＥR −ＥY ）
【０００９】
次に、特開平５−２２７５４３号公報には、ＰＡＬ信号から輝度信号Ｙと色差信号とを分離するための図１０に示すようなＰＡＬ信号のＹ／Ｃ分離回路が示されている。
図１０において、Ｙ／Ｃ分離回路６８で分離されたＣ信号はＰＡＬ位相歪み補正回路６９に入力され、ＥR-Y 、ＥB-Y が復調される。ＰＡＬ色位相歪み補正回路６９は図８の回路と同一構成である。
【００１０】
Ｙ／Ｃ分離回路６８において、入力されるＰＡＬコンポジット信号ＣＶＢＳは直列に接続された２Ｈ遅延回路５１、５２でそれぞれ２ライン遅延され、ＢＰＦ（バンドパスフィルタ）５３、５４、５５である程度の輝度信号Ｙが除去されて、０ライン遅延色信号Ｃ０、２ライン遅延色信号Ｃ２、４ライン遅延色信号Ｃ４が得られ、ロジカルコムフィルタ６７に入力される。
【００１１】
ロジカルコムフィルタ６７において、上記２ライン遅延信号Ｃ２は反転回路５８で反転され、反転信号Ｃ２’となる。そして、上記０ライン遅延信号Ｃ０と反転信号Ｃ２’とはそれらのうちの最大の信号を取り出すＭＡＸ回路５９に入力される。また、上記４ライン遅延信号Ｃ４と反転信号Ｃ２’とはそれらのうちの最大の信号を取り出すＭＡＸ回路６０に入力される。ＭＡＸ回路５９、６０の出力信号はそれらのうち最少の信号を取り出すＭＩＮ回路６１に入力される。
【００１２】
また、上記０ライン遅延信号Ｃ０と反転信号Ｃ２’とはそれらのうちの最少の信号を取り出すＭＩＮ回路６２に入力される。また、上記４ライン遅延信号Ｃ４と反転信号Ｃ２’とはそれらのうちの最少の信号を取り出すＭＩＮ回路６３に入力される。ＭＩＮ回路６２、６３の出力信号はそれらのうち最大の信号を取り出すＭＡＸ回路６４に入力される。
【００１３】
そして、ＭＩＮ回路６１の出力信号とＭＡＸ回路６４の出力信号とが加算器６５で加算され、その加算出力は−１／２回路６６で反転されると共にレベルが１／２にされることにより、Ｃ信号が生成されてＰＡＬ色位相歪み補正回路６９に入力される。
【００１４】
また、２Ｈ遅延回路５１の遅延出力は遅延回路５６で所定時間遅延された後、減算器５７で上記Ｃ信号が減算されることにより輝度信号Ｙが生成される。
【００１５】
【発明が解決しようとする課題】
前述した図８、図９の位相歪み補正回路では、図２に示すようにライン毎に色が変わり、垂直方向に色の境界部分を有するＰＡＬカラー画像信号が入力された場合、その境界部分（マゼンタＭ３とグリーンＧ１との境界）において次のような問題が発生する。
図８の回路では、ライン毎に相関があるかないかを判定する手段がないために、マゼンタＭ３とグリーンＧ１とが加減算されてしまい、そのラインは本来の色とは異なる色（ホワイト）が表示されてしまう。
【００１６】
図９の回路では、判定回路３８の作用により色の境界において本来の色と異なる色が表示されることを防いでいるが、位相歪みが補正されないまま（図９では位相歪みのある信号３６がそのまま選択されて）表示されてしまう。
【００１７】
また、図１０のＰＡＬ信号のＹ／Ｃ分離回路では、最初にＹ／Ｃ分離回路６８により輝度信号Ｙと色信号Ｃとを分離してから、色信号Ｃを用いてＰＡＬ色位相歪み補正回路６９において色差信号ＥR-Y 、ＥB-Y を復調しているので、ＰＡＬ色位相歪み補正回路６９における１Ｈ遅延回路（図８の１Ｈ遅延回路２１）と２Ｈ遅延回路５１、５２との合計５ライン分のラインメモリを必要とし、回路規模が大きくなるという問題があった。
【００１８】
本発明は上記の問題を解決するためになされたもので、垂直方向の色の境界部分において適正な処理を行うことができるＰＡＬ信号の位相歪み補正回路を提供すると共に、回路規模を縮小できるＰＡＬ信号のＹ／Ｃ分離回路を提供することを目的としている。
【００１９】
【課題を解決するための手段】
上記の目的を達成するために、本発明によるＰＡＬ信号の位相歪み補正回路においては、ＰＡＬ方式の色信号から処理対象ラインとその前後１ライン、及び前後２ラインの５つのラインの色信号を得るためのライン遅延手段と、前記処理対象ラインとその前後２ラインの各色信号間のライン相関を検出するライン相関検出手段と、前記ライン相関検出手段の検出結果と前記処理対象ラインの前後１ラインの色信号とから色位相補正用色信号を生成する補正用色信号生成手段とを設けている。
ここで、前後１ラインとは、処理対象ラインを第ｎラインとするとき、第（ｎ−１）ラインと第（ｎ＋１）ラインとを意味し、前後２ラインとは、処理対象ラインを第ｎラインとするとき、第（ｎ−２）ラインと第（ｎ＋２）ラインとを意味する。
【００２０】
また、本発明によるＰＡＬ信号の位相歪み補正方法においては、ＰＡＬ方式の色信号を遅延させて処理対象ラインとその前後１ライン、及び前後２ラインの５つのラインの色信号を得る手順と、前記処理対象ラインとその前後２ラインの各色信号間のライン相関を検出する手順と、前記検出する手順の検出結果と前記処理対象ラインの前後１ラインの色信号とから色位相補正用色信号を生成する手順とを設けている。
【００２１】
また、本発明によるＰＡＬ信号のＹ／Ｃ分離回路においては、ＰＡＬコンポジット信号の処理対象ラインとその前後１ライン、及び前後２ラインの５つのラインの信号を得るためのライン遅延手段と、前記５つの信号から輝度信号成分を除去して５つの色信号を得るフィルタ手段と、前記処理対象ラインとその前後２ラインの色信号が入力され、１つの色信号を生成するロジカルコムフィルタ手段と、前記処理対象ラインの信号からロジカルコムフィルタ手段で生成された色信号を減算することにより輝度信号を得る減算手段とを設けている。
【００２２】
また、本発明によるＰＡＬ信号のＹ／Ｃ分離方法においては、ＰＡＬコンポジット信号を遅延させて処理対象ラインとその前後１ライン、及び前後２ラインの５つのラインの信号を得る手順と、前記５つの信号から輝度信号成分を除去して５つの色信号を得る手順と、前記処理対象ラインとその前後２ラインの色信号をロジカルコムフィルタに入力して１つの色信号を生成する手順と、前記処理対象ラインの信号から前記ロジカルコムフィルタで生成された色信号を減算することにより輝度信号を得る手順とを設けている。
【００２３】
【発明の実施の形態】
以下、本発明の実施の形態を図面と共に説明する。
図１は本発明の実施の形態によるＰＡＬ信号の位相歪み補正回路を示す構成図である。
図１において、ＰＡＬ信号の色信号Ｃ（０ライン遅延信号Ｃ０）は直列に接続された１Ｈ遅延回路１、２、３、４により順次遅延され、１ライン遅延信号Ｃ１、２ライン遅延信号Ｃ２、３ライン遅延信号Ｃ３、４ライン遅延信号Ｃ４となる。本実施の形態においては、２ライン遅延信号Ｃ２を処理対象ラインとする。
【００２４】
上記信号Ｃ０と信号Ｃ２とは加算器５で加算され、その加算出力は絶対値回路８に入力されて絶対値Ｂが得られる。また、上記信号Ｃ４と信号Ｃ２とは加算器６で加算され、その加算出力は絶対値回路７に入力されて絶対値Ａが得られる。
【００２５】
絶対値Ａ、Ｂはライン相関検出回路９に入力され、▲１▼式の処理が行われることにより、信号Ｃ０とＣ２とＣ４との間に相関があるかないかが検出され、検出結果Ｍが出力される。
Ｍ＝Ａ／（Ａ＋Ｂ）……………………………………………………▲１▼
【００２６】
上記▲１▼式によれば、Ｃ０とＣ２とＣ４の全ての間に相関があれば、Ｍ≒１／２になる。また、Ｃ０とＣ２とに相関があれば、Ｂが０に近い値になるのでＭ≒１になる。また、Ｃ２とＣ４とに相関があれば、Ａが０に近い値となるのでＭ≒０となる。
【００２７】
このＭの値は色位相補正用色信号生成回路１０に入力される。この色位相補正用色信号生成回路１０には、上記信号Ｃ１とＣ３が入力されており、▲２▼式の処理が行われることにより、Ｍの値に応じてＣ１又は−Ｃ３が選択され、色位相補正用信号Ｎとして出力される。
Ｎ＝Ｍ＊Ｃ１＋（１−Ｍ）＊（−Ｃ３）………………………………▲２▼
尚、▲２▼式において、ＰＡＬ信号では信号Ｃ１とＣ３とは逆相であるため、Ｃ３を反転させている。
【００２８】
上記▲２▼式によれば、信号Ｃ０とＣ２とＣ４との全てに相関がある場合は、Ｍ≒１／２であるので、Ｎ＝（Ｃ１−Ｃ３）／２となる。また、Ｃ０とＣ２とに相関がある場合は、Ｍ≒１であるのでＮ＝Ｃ１となる。また、Ｃ２とＣ４とに相関がある場合は、Ｍ≒０であるのでＮ＝−Ｃ３となる。
【００２９】
上記色補正用色信号Ｎは加算器１１で処理対象ラインの色信号Ｃ２と加算され、その加算出力はＢ−Ｙ復調回路１３に入力されて色差信号ＥB-Y が復調される。また、色補正用色信号Ｎは減算器１２で処理対象ラインの色信号Ｃ２から減算され、その減算出力はＲ−Ｙ復調回路１４に入力されて色差信号ＥR-Y が復調される。
尚、図１の点線で囲まれる部分により色信号処理部１５が構成されている。
【００３０】
次に、本実施の形態によるＰＡＬ信号の位相歪み補正回路を用いた場合における図２のようなカラー画像における色の境界部分の動作について説明する。
図１における処理対象ラインの信号Ｃ２がマゼンタＭ３のとき、信号Ｃ０はマゼンタＭ１であり、信号Ｃ１、Ｃ３、Ｃ４はそれぞれマゼンタＭ２、グリーンＧ１、グリーンＧ２である。
【００３１】
この場合、ライン相関検出回路９においては、マゼンタＭ１（Ｃ０）とマゼンタＭ３（Ｃ２）、及びマゼンタＭ３（Ｃ２）とグリーンＧ２（Ｃ４）の各相関の有無を検出する。この場合は、マゼンタＭ１とマゼンタＭ３に相関があるので、▲１▼式よりＭ≒１が得られる。そして色位相補正用色信号生成回路１０においては、▲２▼式よりＮ＝Ｃ１となり、Ｃ１＝マゼンタＭ２が補正用色信号Ｎとして出力される。従って、加算器１１及び減算器１２において、マゼンタＭ２とマゼンタＭ３との加減算が行われることにより、ＥR-Y 、ＥB-Y が復調される。
【００３２】
また、処理対象ラインの信号Ｃ２がグリーンＧ１の場合は、信号Ｃ０、Ｃ１、Ｃ３、Ｃ４はそれぞれマゼンタＭ２、Ｍ３、グリーンＧ２、Ｇ３である。この場合は、ライン相関検出回路９は、Ｍ２とＧ１、及びＧ１とＧ３の各相関の有無を検出する。Ｇ１とＧ３に相関があるのでＭ≒０となり、色位相補正用色信号生成回路１０よりＮ＝Ｇ２が得られる。従って、加算器１１及び減算器１２において、グリーンＧ１とＧ２との加減算が行われることにより、ＥR-Y 、ＥB-Y が復調される。
【００３３】
次に、図３、図４、図５のように３ライン、２ライン、１ライン毎の横縞のある画像が入力された場合における色の境界部分の処理を、図８、図９の従来例と図１の本実施の形態の場合とについて説明する。
まず、図３のように同じ色が３ラインずつ続く場合は、マゼンタＭ３においては、従来の図８、図９及び本実施の形態の図１共にマゼンタＭ２とＭ３が演算処理されるので、位相補正された色信号が出力される。
【００３４】
グリーンＧ２においては、図８の場合は、常に１ライン前の信号の演算処理を行うため、マゼンタＭ３、グリーンＧ２が演算処理されて違う色（ホワイト）が出力されてしまう。図９の場合は、１ライン前の信号（マゼンタＭ３）と相関がないので、位相補正されていないグリーンＧ２がそのまま出力される。図１の場合は、グリーンＧ４と相関があるので、グリーンＧ２、Ｇ３が演算処理され位相補正された色信号が出力される。
【００３５】
次に、図４のように同じ色が２ラインずつ続く場合は、マゼンタＭ２においては、図８、図９ではマゼンタＭ１とＭ２が演算処理され、位相補正された色信号が出力される。図１では、上下２ライン共に相関がないので、位相補正されていないマゼンタＭ２の色信号がそのまま出力される。
【００３６】
グリーンＧ２においては、図８の場合は、常に１ライン前の信号の演算処理を行うため、マゼンタＭ２、グリーンＧ２が演算処理されて違う色が出力されてしまう。図９の場合は、１ライン前の信号と相関がないので、位相補正されていないグリーンＧ２がそのまま出力される。図１の場合も同様に、上下２ライン共に相関がないので、位相補正されていないグリーンＧ２がそのまま出力される。
【００３７】
次に、図５のように同じ色が１ラインずつ続く場合は、マゼンタＭ２においては、図８では、常に１ライン前の信号の演算処理を行うため、グリーンＧ１、マゼンタＭ２が演算処理され違う色が出力されてしまう。図９では、１ライン前の信号と相関がないので、位相補正されていないマゼンタＭ２がそのまま出力される。図１では、上下２ラインに相関があると判断してしまい、グリーンＧ１、マゼンタＭ２が演算処理され、違う色を出力してしまう。
【００３８】
グリーンＧ２においては、図８では、常に１ライン前の信号の演算処理を行うため、グリーンＧ２、マゼンタＭ２が演算処理され、違う色が出力されてしまう。図９では、１ライン前の信号と相関がないので、位相補正されていないグリーンＧ２がそのまま出力される。図１では、上下２ラインに相関があると判断してしまい、グリーンＧ２、マゼンタＭ２が演算処理され、違う色を出力してしまう。
【００３９】
以上説明した処理結果を図６に示す。図６においては、
○：色位相歪み補正あり
△：色位相歪み補正なし
×：本来と違う色
を示している。
図６によれば、本実施の形態の場合が、色の境界の上側と下側とを総合的に判断して良好な結果が得られている。特に、３ライン以上同じ色が続く場合に、本実施の形態による効果が大きいことが分かる。
【００４０】
次に、図７は本発明の実施の形態によるＰＡＬ信号のＹ／Ｃ分離回路の構成図であり、図１及び図１０と対応する部分には同一番号を付して重複する説明は省略する。
図７において、ＰＡＬコンポジット信号ＣＶＢＳは、直列に接続された１Ｈ遅延回路１、２、３、４で順次に遅延され、各遅延信号はそれぞれＢＰＦ１６、１７、１８、１９、２０である程度の輝度信号成分が除去された後、０ライン遅延信号Ｃ０、１ライン遅延信号Ｃ１、２ライン遅延信号Ｃ２、３ライン遅延信号Ｃ３、４ライン遅延信号Ｃ４として、色信号処理部１５とロジカルコムフィルタ６７に入力される。色信号処理部１５は図１の色信号処理部１５であり、ロジカルコムフィルタ６７は図１０のロジカルコムフィルタ６７である。
【００４１】
そして、図１０の場合と同様にして、１Ｈ遅延回路２の遅延出力（本実施の形態における処理対象ラインの信号）を遅延回路５６で遅延した信号と、ロジカルコムフィルタ６７から得られる色信号Ｃとを減算器５７で減算した信号とにより輝度信号Ｙを得るようにしている。
また、色信号処理部１５においては、図１で説明した処理が行われることより、色差信号ＥR-Y 、ＥB-Y が復調される。
【００４２】
本実施の形態によれば、使用するラインメモリとしては１Ｈ遅延回路１〜４の４本だけで済み、図１０の従来の場合より１本少なくて済むので、回路規模を縮小することができる。
【００４３】
【発明の効果】
以上説明したように本発明によるＰＡＬ信号の位相歪み補正回路によれば、処理対象ラインとその前後２ラインの色信号間のライン相関の有無を検出し、その検出結果に応じて処理対象ラインの前後１ラインの色信号とを用いて色位相補正用色信号を生成するようにしたので、この補正用色信号と処理対象ラインの色信号とを加減算することにより、色の境界部分の処理を適切に行うことができる。
【００４４】
また、本発明によるＰＡＬ信号のＹ／Ｃ分離回路によれば、Ｙ／Ｃ分離回路に必要な４ライン分の遅延回路と上記ＰＡＬ信号の位相歪み補正回路に必要な４ライン分の遅延回路とを共有するように構成したので、４本のラインメモリを用いるだけで実現することができ、回路規模を従来より縮小することができる。
【図面の簡単な説明】
【図１】  本発明の実施の形態によるＰＡＬ信号の位相歪み補正回路を示す構成図である。
【図２】  本発明の実施の形態と従来の色信号処理を説明するためのカラー画像の一例を示す構成図である。
【図３】  本発明の実施の形態と従来の色信号処理を説明するためのカラー画像の他の例を示す構成図である。
【図４】  本発明の実施の形態と従来の色信号処理を説明するためのカラー画像の他の例を示す構成図である。
【図５】  本発明の実施の形態と従来の色信号処理を説明するためのカラー画像の他の例を示す構成図である。
【図６】  本発明の実施の形態と従来例の色の境界部分における補正の処理結果を示す構成図である。
【図７】  本発明の実施の形態によるＰＡＬ信号のＹ／Ｃ分離回路を示す構成図である。
【図８】  従来のＰＡＬ信号の位相歪み補正回路を示す構成図である。
【図９】  従来の他のＰＡＬ信号の位相歪み補正回路を示す構成図である。
【図１０】  従来のＰＡＬ信号のＹ／Ｃ分離回路を示す構成図である。
【符号の説明】
１、２、３、４  １Ｈ遅延回路
５、６  加算器
７、８  絶対値回路
９  ライン相関検出回路
１０  色位相補正用色信号生成回路
１１  加算器
１２  減算器
１３  Ｂ−Ｙ復調回路
１４  Ｒ−Ｙ復調回路
１５  色信号処理部
１６、１７、１８、１９、２０  ＢＰＦ
５６  遅延回路
５７  減算器
６７  ロジカルコムフィルタ
Ｃ  色信号
Ｃ０  ０ライン遅延信号
Ｃ１  ２ライン遅延信号
Ｃ２  ２ライン遅延信号
Ｃ３  ３ライン遅延信号
Ｃ４  ４ライン遅延信号
ＣＶＢＳ  ＰＡＬコンポジット信号
Ｙ  輝度信号
ＥR-Y 、ＥB-Y   色差信号
【図１】
0004531217.tif 000002
【図２】
0004531217.tif 000003
【図３】
0004531217.tif 000004
【図４】
0004531217.tif 000005
【図５】
0004531217.tif 000006
【図６】
0004531217.tif 000007
【図７】
0004531217.tif 000008
【図８】
0004531217.tif 000009
【図９】
0004531217.tif 000010
【図１０】
0004531217.tif 000011